(57)【要約】【課題】側部支持部と底部とが接続されている部分を破れにくくすることにある。【解決手段】梱包容器の底面に配置され、被梱包物の底部を支持するための梱包緩衝材１であって、底部２と、側部支持部３と、倒れ規制部４とを備えている。底部２は、梱包容器の底面に載置される。側部支持部３は、底部２上に設けられ、被梱包物の側部を支持可能である。倒れ規制部４は、底部２に設けられ、側部支持部４を支持し、側部支持部４の倒れを規制する。【選択図】図１
2008110808.tif 000002
【特許請求の範囲】
【請求項１】
梱包容器の底面に配置され、被梱包物の底部を支持するための梱包緩衝材であって、
前記梱包容器の底面に載置される底部と、
前記底部上に設けられ、前記被梱包物の側部を支持可能な側部支持部と、
前記底部に設けられ、前記側部支持部を支持し、前記側部支持部の倒れを規制する倒れ規制部と、
を備えた梱包緩衝材。
【請求項２】
前記側部支持部は筒状に形成されており、
前記側部支持部の内部には積層部材が配置されている、
請求項１に記載の梱包緩衝材。
【請求項３】
前記底部は紙製のシート状部材であり、
前記倒れ規制部は前記底部から前記側部支持部の内部に突出するように前記底部から切り起こされたシート状の部分である、
請求項２に記載の梱包緩衝材。
【請求項４】
前記側部支持部は断面多角形状であり、
前記倒れ規制部は前記側部支持部の前記被梱包物が接触する第１壁と前記第１壁と対向する第２壁とに接触するように設けられている、
請求項３に記載の梱包緩衝材。
【請求項５】
前記倒れ規制部は前記側部支持部の内周側壁面に沿って配置されている、
請求項４に記載の梱包緩衝材。
【発明の詳細な説明】
【技術分野】
【０００１】
本発明は、梱包緩衝材、特に、梱包容器の底面に配置され、被梱包物の底部を支持するための梱包緩衝材に関する。
【背景技術】
【０００２】
画像形成装置などの電子機器を運搬する際には、電子機器に衝撃を与えないようにするために梱包緩衝材を用いる場合がある。この梱包緩衝材には、被梱包物の下側に配置され、被梱包物の下部や側部を支持するものがある（例えば、特許文献１参照）。
【０００３】
従来の梱包緩衝材６には、図３（従来の梱包緩衝材の展開図）及び４に示すように、被梱包物の下側に配置される底部６１と、底部６１に配置され被梱包物の下部と接触可能な底部支持部６２と、被梱包物の側部に配置された側部支持部６３とを有しているものがある。これらは全て一つのシート状の部材、例えばダンボールシートから形成されている。底部支持部６２及び側部支持部６３は、シート状部材の一部を折り曲げて形成されており、内部にシート状部材を積層した部材が挿入されている。ここで、側部支持部６３は、図４に示すようにシート状部材の端部に設けられた帯状の部分を断面四角形の筒状の部分６４になるよう折り曲げ、シート状部材に対して垂直に配置したものである。
【特許文献１】特開平１０−３５７４０号公報
【発明の開示】
【発明が解決しようとする課題】
【０００４】
従来の梱包緩衝材６では、側部支持部６３は端部においてのみ底部６１に接続されており、被梱包物が傾く場合など、側部支持部６３に被梱包物からの力が作用する際に、側部支持部材６３と底部６１との接続部が切断される、すなわち破れる場合がある。このように側部支持部６３と底部６１との底部支持部６２が破れると、被梱包物の側部が支持されない状態になり、被梱包物が運搬中に容器の壁面などと衝突し、衝撃を受ける可能性がある。
【０００５】
本発明の課題は、側部支持部と底部とが接続されている部分を破れにくくすることにある。
【課題を解決するための手段】
【０００６】
請求項１に係る梱包緩衝材は、梱包容器の底面に配置され、被梱包物の底部を支持するための梱包緩衝材であって、底部と、側部支持部と、倒れ規制部とを備えている。底部は、梱包容器の底面に載置される。側部支持部は、底部上に設けられ、被梱包物の側部を支持可能である。倒れ規制部は、底部に設けられ、側部支持部を支持し、側部支持部の倒れを規制する。
【０００７】
この梱包緩衝材では、梱包容器の底面に配置され、被梱包物の側部に側部支持部が配置される。そして、被梱包物は底部によって底面が支持されており、側部支持部によって側部が支持されている。ここで、倒れ規制部が側部支持部の倒れを規制している。
【０００８】
ここでは、被梱包物から側部支持部に荷重が加えられた場合であっても倒れ規制部によって側部支持部の倒れが規制されているために側部支持部が倒れにくくなっている。このために、側部支持部と底部との接続部が破れにくくなる。
【０００９】
請求項２に係る梱包緩衝材は、請求項１に記載の梱包緩衝材であって、側部支持部は筒状に形成されており、側部支持部の内部には積層部材が配置されている。
【００１０】
ここでは、側部支持部の強度を増すことができる。
【００１１】
請求項３に係る梱包緩衝材は、請求項２に記載の梱包緩衝材であって、底部は紙製のシート状部材であり、倒れ規制部は底部から側部支持部の内部に突出するように底部から切り起こされたシート状の部分である。
【００１２】
ここでは、簡単な構成で被梱包物が配置されている方向及び被梱包物が配置されている方向の逆方向へ側部支持部を支持することができる。
【００１３】
請求項４に係る梱包緩衝材は、請求項３のいずれかに記載の梱包緩衝材であって、側部支持部は断面多角形状であり、倒れ規制部は側部支持部の被梱包物が接触する第１壁と第１壁と対向する第２壁とに接触するように設けられている。
【００１４】
ここでは、被梱包物から側部支持部を介して倒れ規制部の端部に力が作用するために倒れ規制部による補強強度が強くなる。
【００１５】
請求項５に係る梱包緩衝材は、請求項４のいずれかに記載の梱包緩衝材であって、倒れ規制部は側部支持部材の内周側壁面に沿って配置されている。
【００１６】
ここでは、側部支持部材に積層のシート状部材を挿入しやすくなる。
【発明の効果】
【００１７】
本発明では、側部支持部と底部とが接続されている部分を破れにくくすることができる。
【発明を実施するための最良の形態】
【００１８】
１．構成
本発明の一実施形態に係る梱包緩衝材１の展開図を図１に示す。そして、図２には梱包緩衝材１を組み立てた後の図を示す。この梱包緩衝材１は、電子機器、例えば複写機や複合機などの被梱包物の下側に配置される部材であって、ダンボールシートによって形成されている。また、梱包緩衝材１は、被梱包物を衝撃から保護するための部材であって、底部２と、側部支持部３と、倒れ規制部４とを備えている。
【００１９】
底部２は、被梱包物の下側に配置される部分であって、略正方形状の部分である。また、底部２には図２に示すように被梱包物載置部２１が設けられている。被梱包物載置部２１は、底部２の一部を折り曲げて一方向に長い台状に構成した部分であって、２つ平行に配置されている。また、被梱包物載置部２１は、被梱包物と互いに接触する部分であって、第１凹部２１１と、第２凹部２１２と、第３凹部２１３とを備えている。さらに、この被梱包物載置部２１の内部、すなわち被梱包物と接触する部分の下側にダンボールシートを積層して形成した第１支持部材２１４が挿入される。第１凹部２１１は、被梱包物載置部２１の一端側の内側に設けられており、被梱包物載置部２１の高さのほぼ半分の高さ位置まで窪んでいる。また、第１凹部２１１は、被梱包物載置部２１の幅方向約半分の位置まで設けられている。第２凹部２１２は、被梱包物載置部２１のほぼ中央に設けられ、第１凹部２１１と同じ形状である。第３凹部２１３は、被梱包物載置部２１の他端側に配置されており、被梱包物載置部２１の高さのほぼ半分の高さ位置まで窪んでいる。また、第３凹部２１３は、被梱包物載置部２１の幅方向ほぼ全部に設けられている。さらに、第３凹部２１３は、被梱包物載置部２１が延びる方向のほぼ半分は孔２１５になっている。なお、被梱包物載置部２１の第１凹部２１１が配置されている部分のさらに端部には折り曲げ部２１６が設けられており、階段状に折り曲げることができる。
【００２０】
側部支持部３は、被梱包物載置部２１の第３凹部２１３が配置されている側の端に被梱包物載置部２１と所定の距離を離して配置されている部分である。また、側部支持部３は、底部２の端部に取り付けられており、帯状に延びた部分を折り曲げて形成されている。さらに、側部支持部３は、筒状の部分であって、底部２に接続されている第１面３１（第１壁）と、第１面３１に隣接して設けられた第２面３２と、第１面３１の第２面３２が配置されている側の逆側に隣接して設けられた第３面３３と、第１面３１に対向し第３面３３に隣接して設けられた第４面３４（第２壁）と、第４面３４に隣接して設けられた第５面３５とを有している。第１面３１と第２面３２との間には切り込み３７が設けられている。また、第２面３２の図１の上側端部には凹部３２１が設けられている。さらに、第５面３５には凹部３２１と互いに係合可能な係合部３５１が設けられている。なお、側部支持部３の内部にはダンボールを積層して形成された第２支持部材３６が挿入されている。
【００２１】
倒れ規制部４は、側部支持部３の内部に設けられた部分であって、底部２に設けられた略長方形状の板状部分である。倒れ規制部４は、互いに対向する第１面３１と第４面３４とに端部が接触するとともに側部支持部３の第３面３３に面接触するように配置されている。
【００２２】
２．組立動作
この梱包緩衝材１を組み立てる際には、ダンボールシート部材を折り曲げて底部２から突出するように被梱包物載置部２１を形成する。そして、被梱包物載置部２１の内部に第１支持部材２１４を挿入する。第１支持部材２１４を挿入した後には、折り曲げ部２１６を折り曲げる。このために、第１支持部材２１４が被梱包物載置部２１から外部に出るのを防止する。そして、その後側部支持部３を組み立てる。
【００２３】
具体的には先ず第１面３１を底部２に対して略直交する方向に折り曲げる。そして、第１面３１と第２面３２及び第３面３３とが略直交する方向に第２面３２及び第３面３３を第１面３１に対して折り曲げる。その後、第３面３３に対して略直交する方向に第４面３４を折り曲げる。第４面３４に略直交する方向に第５面３５を折り曲げる。このとき、第５面３５が第２面３２に対して接触し、第２面３２の凹部３２１に第５面３５の係合部３５１を係合させる。側部支持部３を組み立てた後には、倒れ規制部４を底部２に略直交するように折り曲げて互いに対向する第１面３１と第４面３４とに端部が接触するとともに第３面３３に面接触させる。そして、側部支持部３の内部に第２支持部材３６を挿入する。側部支持部３に第２支持部材３６を挿入した後に切り込み３７の近傍を折り曲げることで第２支持部材３６が外部に外れにくくすることができる。
【００２４】
このように梱包緩衝材１を組み立てた後に、梱包緩衝材１を運搬の際に用いられる容器に挿入し、被梱包部材載置部２１に被梱包部材を載置する。
【００２５】
ここでは、側部支持部３によって被梱包物の側面が支持されるために運搬の際の振動などによって被梱包物の位置がずれにくくなる。また、運搬の際の振動によって被梱包物が側部支持部３に負荷を加えた場合であっても、倒れ規制部４によって側部支持部３が支持されるために第１面３１と底部２との接続部分が破れにくくなる。さらに１枚のダンボールシートによって側部支持部３や被梱包物載置部２１を形成できるために、安価になる。
【００２６】
３．他の実施形態
（ａ）上記実施形態では、第１支持部材２１４及び第２支持部材３６を用いたが、本発明はこれに限られずに、被梱包物の重量などによっては用いなくとも良い。
【００２７】
（ｂ）上記実施形態では、倒れ規制部４を１枚の板状部分で構成したが、本発明はこれに限られずに、第２及び第３面にそれぞれ接触する用に２枚の板状部材を用いても良い。
【００２８】
（ｃ）上記実施形態では、側部支持部３は断面四角形の筒状に形成したが、本発明はこれに限られず、断面６角形の筒状部材等であっても良い。
【図面の簡単な説明】
【００２９】
【図１】本発明の一実施形態に係る梱包物緩衝材の展開図。
【図２】本発明の一実施形態に係る梱包物緩衝材を示す図。
【図３】従来の梱包物緩衝材の展開図。
【図４】従来の梱包物緩衝材を示す図
【符号の説明】
【００３０】
１  梱包緩衝材
２  底部
３  側部支持部
４  倒れ規制部
３１  第１面（第１壁）
３４  第４面（第２壁）
３６  第２支持部材（積層部材）
２１４  第１支持部材
【図１】
2008110808.tif 000003
【図２】
2008110808.tif 000004
【図３】
2008110808.tif 000005
【図４】
2008110808.tif 000006